(57)【要約】本発明は、物理アップリンク共有チャネルの送信パワー制御方法を提供して、物理アップリンク共有チャネルにアップリンク制御情報の送信だけあって、アップリンク共有チャネルデータの送信がない場合に、チャネル質量指示シグナルとそれに対応する検証に含まれるビットの総数及び幅の逸脱値から物理アップリンク共有チャネルの送信パワーを設置することを含む。本発明は、さらに、物理アップリンク共有チャネルの送信パワー制御システムを提供する。本発明による方法とシステムは、システムの全体の性能を保証することが可能である。
2011522460.tif 000002
【特許請求の範囲】
【請求項１】
物理アップリンク共有チャネルにアップリンク制御情報の送信だけあって、アップリンク共有チャネルデータの送信がない場合に、チャネル質量指示シグナルとそれに対応する検証に含まれるビットの総数及び幅の逸脱値から物理アップリンク共有チャネルの送信パワーを設置することを含めることを特徴とする物理アップリンク共有チャネルの送信パワー制御方法。
【請求項２】
上記物理アップリンク共有チャネルの送信パワーを下記の式により設置されて、
2011522460.tif 000450
その中、
ＰＭＡＸは、送信パワーの上限を示し、
ＭＰＵＳＣＨ(ｉ)は、サブフレームｉの物理アップリンク共有チャネルを転送するための帯域を示し、
ＰＯ_ＰＵＳＣＨ(ｊ)は、目標基准パワーを示し、
2011522460.tif 000451
は、ルート消耗修正因子を示し、
ＰＬは、ルート消耗を示し、
ｆ(ｉ)は、サブフレームｉのパワー制御修正関数を示し、
2011522460.tif 000452
は、転送フォーマット逸脱パラメーターであって、
ＫＳ=１.２５の時に、
2011522460.tif 000453
、あるいは、
2011522460.tif 000454
があって、ＫＳ = ０の時に、
2011522460.tif 000455
があってＫＳは一つのセルに共有されるパラメーターであって、高層の無線リソース制御により配置されて、
2011522460.tif 000456
があって、ＮＲＥは、リソースユニットの数量を示し、
2011522460.tif 000457
があって、
2011522460.tif 000458
は、物理アップリンク共有チャネルを転送する帯域を示し、
2011522460.tif 000459
は、ＰＵＳＣＨを転送するための単一搬送波周波数分割多重アクセス符号の数量を示し、
2011522460.tif 000460
は、一つのリソースブロックに含まれるリソースユニットの数量を示し、
2011522460.tif 000461
は、情報ビットの大きさを示し、
2011522460.tif 000462
は、上記幅の逸脱値を示して、
その中、物理アップリンク共有チャネルにアップリンク制御情報の送信だけあって、アップリンク共有チャネルデータの送信がない場合に、
2011522460.tif 000463
があって、
2011522460.tif 000464
の時に、
2011522460.tif 000465
があって、あるいは、
2011522460.tif 000466
の時に、
2011522460.tif 000467
があって、その中、
2011522460.tif 000468
は、チャネル質量指示シグナルとそれに対応する検証に含まれるビットの総数を示し、
2011522460.tif 000469
は、チャネル質量指示情報幅の逸脱値を示し、
2011522460.tif 000470
は、初回に転送ブロックを送信するときのＰＤＣＣＨにおけるシグナルから取得されることを特徴とする請求項１に記載の方法。
【請求項３】
上記
2011522460.tif 000471
は、高層シグナルから通知されることことを特徴とする請求項２に記載の方法。
【請求項４】
上記
2011522460.tif 000472
の値は、０.７５０、１.０００、１.１２５、１.２５０、１.３７５、１.６２５、１.７５０、２.０００、２.２５０、２.５００、２.８７５、３.１２５、３.５００、４.０００、５.０００または６．２５０であることを特徴とする請求項２または請求項３に記載の方法。
【請求項５】
物理アップリンク共有チャネルにアップリンク共有チャネルデータの送信だけある場合、あるいは、物理アップリンク共有チャネルにアップリンク制御情報とアップリンク共有チャネルデータの送信がある場合に、
2011522460.tif 000473
があって、
2011522460.tif 000474
の時に、
2011522460.tif 000475
があって、あるいは、
2011522460.tif 000476
の時に、
2011522460.tif 000477
があって、その中、
2011522460.tif 000478
は、転送ブロックの大きさを示し、
2011522460.tif 000479
と
2011522460.tif 000480
は、初回に転送ブロックを送信するときのＰＤＣＣＨにおけるシグナルから取得されることを特徴とする請求項２に記載の方法。
【請求項６】
物理アップリンク共有チャネルにアップリンク共有チャネルデータの送信だけある場合、あるいは、物理アップリンク共有チャネルにアップリンク制御情報とアップリンク共有チャネルデータの送信がある場合に、
2011522460.tif 000481
があって、
2011522460.tif 000482
の時に、
2011522460.tif 000483
があって、あるいは、
2011522460.tif 000484
の時に、
2011522460.tif 000485
があって、その中、
2011522460.tif 000486
は、転送ブロックの大きさを示し、
2011522460.tif 000487
と
2011522460.tif 000488
は、転送ブロックを送信することに関連する最も近いＰＤＣＣＨにおけるシグナルから取得されることを特徴とする請求項２に記載の方法。
【請求項７】
物理アップリンク共有チャネルにアップリンク共有チャネルデータの送信だけある場合、あるいは、物理アップリンク共有チャネルにアップリンク制御情報とアップリンク共有チャネルデータの送信がある場合に、
2011522460.tif 000489
があって、
2011522460.tif 000490
の時に、
2011522460.tif 000491
があって、あるいは、
2011522460.tif 000492
の時に、
2011522460.tif 000493
があって、Ｃは、コーディングブロックの総数を示し、
2011522460.tif 000494
は、インデックスがｒであるコーディングブロックに含まれるビットの数量を示し、上記
2011522460.tif 000495
、
2011522460.tif 000496
及び
2011522460.tif 000497
は、初回に転送ブロックを送信する時のＰＤＣＣＨにおけるシグナルから取得されることを特徴とする請求項２に記載の方法。
【請求項８】
物理アップリンク共有チャネルにアップリンク共有チャネルデータの送信だけある場合に、
2011522460.tif 000498
があって、
2011522460.tif 000499
の時に、
2011522460.tif 000500
があって、あるいは、
2011522460.tif 000501
の時に、
2011522460.tif 000502
があって、Ｃは、コーディングブロックの総数を示し、
2011522460.tif 000503
は、インデックスがｒであるコーディングブロックに含まれるビットの数量を示し、上記
2011522460.tif 000504
、
2011522460.tif 000505
及び
2011522460.tif 000506
は、転送ブロックを送信することに関連する最も近いＰＤＣＣＨにおけるシグナルから取得されることを特徴とする請求項２に記載の方法。
【請求項９】
上記アップリンク制御情報は、肯定応答ＡＣＫ、及び/または否定応答ＮＡＣＫ、及び/または階数指示情報ＲＩ、チャネル質量指示ＣＱＩ、及び/またはプリコーディングマトリックス指示ＰＭＩを含めることを特徴とする請求項１または請求項２に記載の方法。
【請求項１０】
物理アップリンク共有チャネルにアップリンク制御情報の送信だけあって、アップリンク共有チャネルデータの送信がない場合に、チャネル質量指示シグナルとそれに対応する検証に含まれるビットの総数、及び幅の逸脱値から物理アップリンク共有チャネルの送信パワーを設置することに用いられるパワー設置モジュールを含めることを特徴とする物理アップリンク共有チャネルの送信パワー制御システム。
【請求項１１】
上記パワー設置モジュールは、下式により上記物理アップリンク共有チャネルの送信パワーを設置することに用いられ、
2011522460.tif 000507
その中、
ＰＭＡＸは、送信パワーの上限を示し、
ＭＰＵＳＣＨ(ｉ)は、サブフレームｉで物理アップリンク共有チャネルを転送するための帯域を示し、
ＰＯ_ＰＵＳＣＨ(ｊ)は、目標基准パワーを示し、
2011522460.tif 000508
は、ルート消耗修正因子を示し、
ＰＬは、ルート消耗を示し、
ｆ(ｉ)は、サブフレームｉのパワー制御修正関数を示し、
2011522460.tif 000509
は、転送フォーマット逸脱パラメーターであって、
ＫＳ=１．２５の時に、
2011522460.tif 000510
、あるいは、
2011522460.tif 000511
があって、ＫＳ = ０の時に、
2011522460.tif 000512
があって、ＫＳは、一つのセルに共有されるパラメーターであって、高層の無線リソース制御により配置され、
2011522460.tif 000513
があって、ＮＲＥは、リソースユニットの数量を示し、
2011522460.tif 000514
があって、
2011522460.tif 000515
は、物理アップリンク共有チャネルを転送するための帯域を示し、
2011522460.tif 000516
は、ＰＵＳＣＨを転送するための単一搬送波周波数分割多重アクセス符号の数量を示し、
2011522460.tif 000517
は、一つのリソースブロックに含まれるリソースユニットの数量を示し、
2011522460.tif 000518
は、情報ビットの大きさを示し、
2011522460.tif 000519
は、上記幅の逸脱値を示し、
その中、物理アップリンク共有チャネルにアップリンク制御情報の送信だけあって、アップリンク共有チャネルデータの送信がない場合に、
2011522460.tif 000520
があって、
2011522460.tif 000521
の時に、
2011522460.tif 000522
があって、あるいは
2011522460.tif 000523
の時に、
2011522460.tif 000524
があって、その中、
2011522460.tif 000525
は、チャネル質量指示シグナルとそれに対応する検証に含まれるビットの総数を示し、
2011522460.tif 000526
は、チャネル質量指示情報の幅の逸脱値を示し、
2011522460.tif 000527
は、初回に転送ブロックを送信する時のＰＤＣＣＨにおけるシグナルから取得されることを特徴とする請求項１０に記載のシステム。
【請求項１２】
上記パワー設置モジュールは、高層シグナルから上記
2011522460.tif 000528
を取得することに用いられることを特徴とする請求項１１に記載のシステム。
【請求項１３】
上記パワー設置モジュールは、物理アップリンク共有チャネルにアップリンク共有チャネルデータの送信だけある場合、あるいは、物理アップリンク共有チャネルにアップリンク制御情報とアップリンク共有チャネルデータの送信がある場合に、
2011522460.tif 000529
と
2011522460.tif 000530
の値を下記の方式によって特定することに用いられ、
2011522460.tif 000531
があって、
2011522460.tif 000532
の時に、
2011522460.tif 000533
があって、あるいは、
2011522460.tif 000534
の時に、
2011522460.tif 000535
があって、その中、
2011522460.tif 000536
は、転送ブロックの大きさを示し、
2011522460.tif 000537
と
2011522460.tif 000538
は、初回に転送ブロックを送信する時のＰＤＣＣＨにおけるシグナルから取得されることを特徴とする請求項１１に記載のシステム。
【請求項１４】
上記パワー設置モジュールは、物理アップリンク共有チャネルおいて、アップリンク共有チャネルデータを送信時に、
2011522460.tif 000539
と
2011522460.tif 000540
の値を下記の方式によって特定することに用いられ、
2011522460.tif 000541
があって、
2011522460.tif 000542
の時に、
2011522460.tif 000543
があって、あるいは
2011522460.tif 000544
の時に、
2011522460.tif 000545
があって、その中、
2011522460.tif 000546
は転送ブロックの大きさを示し、ＴＢＳと
2011522460.tif 000547
は、転送ブロックを送信することに関連する最も近いＰＤＣＣＨのシグナルより取得されるに使用されることを特徴とする請求項１１の記載のシステム。
【請求項１５】
上記パワー設置モジュールは、物理アップリンク共有チャネルにアップリンク共有チャネルデータの送信だけある場合、あるいは、物理アップリンク共有チャネルにアップリンク制御情報とアップリンク共有チャネルデータの送信がある場合に、
2011522460.tif 000548
と
2011522460.tif 000549
の値を下記の方式によって特定することに用いられ、
2011522460.tif 000550
があって、
2011522460.tif 000551
の時に、
2011522460.tif 000552
があって、あるいは、
2011522460.tif 000553
の時に、
2011522460.tif 000554
があって、Ｃは、コーディングブロックの総数を示し、
2011522460.tif 000555
はインデックスがｒであるコーディングブロックに含まれるビットの数量を示し、上記
2011522460.tif 000556
、
2011522460.tif 000557
及び
2011522460.tif 000558
は、初回に転送ブロックを送信する時のＰＤＣＣＨにおけるシグナルから取得されることを特徴とする請求項１１に記載のシステム。
【請求項１６】
上記パワー設置モジュールは、物理アップリンク共有チャネルにアップリンク共有チャネルデータの送信だけある場合に、
2011522460.tif 000559
と
2011522460.tif 000560
の値を下記の方式によって特定することに用いられ、
2011522460.tif 000561
があって、
2011522460.tif 000562
の時に、
2011522460.tif 000563
があって、あるいは
2011522460.tif 000564
の時に、
2011522460.tif 000565
があって、Ｃは、コーディングブロックの総数を示し、
2011522460.tif 000566
は、インデックスがｒであるコーディングブロックに含まれるビットの数量を示し、上記
2011522460.tif 000567
、
2011522460.tif 000568
及び
2011522460.tif 000569
は、転送ブロックを送信することに関連する最も近いＰＤＣＣＨにおけるシグナルから取得されることを特徴とする請求項１１に記載のシステム。
【発明の詳細な説明】
【技術分野】
【０００１】
本発明は、通信領域に関し、特に物理アップリンク共有チャネルの送信パワー制御方法とシステムに関する。
【背景技術】
【０００２】
ＬＴＥ（Ｌｏｎｇ Ｔｅｒｍ Ｅｖｏｌｕｔｉｏｎ：長期発展型）システムにおいては、アップリンク物理チャネルは、主にＰＵＣＣＨ（ＰｈｙｓｉｃａｌＵｐｌｉｎｋ Ｃｏｎｔｒｏｌ Ｃｈａｎｎｅｌ、物理アップリンク制御チャネル）とＰＵＳＣＨ（Ｐｈｙｓｉｃａｌ Ｕｐｌｉｎｋ Ｓｈａｒｅｄ Ｃｈａｎｎｅｌ、物理アップリンク共有チャネル）等のチャネルを含める。ＰＵＣＣＨは、アップリンク制御情報を転送することに用いられ、その中、アップリンク制御情報は、アップリンクフィードバックのＡＣＫ（Ａｃｋｎｏｗｌｅｄｇｅ、肯定応答）/ＮＡＣＫ（Ｎｏｎ-Ａｃｋｎｏｗｌｅｄｇｅ、否定応答）、ＣＱＩ（Ｃｈａｎｎｅｌ Ｑｕａｌｉｔｙ Ｉｎｄｉｃａｔｏｒ、チャネル質量指示）、ＲＩ（Ｒａｎｋ Ｉｎｄｉｃａｔｏｒ、階数指示）及びＰＭＩ（ＰｒｅｃｏｄｉｎｇＭａｔｒｉｘ Ｉｎｄｉｃａｔｏｒ、プリコーディングマトリックス指示）等の情報を含める。ＰＵＳＣＨはアップリンク共有チャネル（ＵｐＬｉｎｋ Ｓｈａｒｅｄ ＣＨａｎｎｅｌ、略してＵＬ-ＳＣＨと呼ばれる）データだけ転送してもいい、アップリンク制御情報だけ転送してもいい、または、同時にアップリンク共有チャネルデータとアップリンク制御情報を転送してもいい。
【０００３】
セル内のすべてのユーザー端末（Ｕｓｅｒ Ｅｑｕｉｐｍｅｎｔ、略してＵＥと呼ばれる）は各サブフレームの物理アップリンク共有チャネルの送信パワーにパワー設置を行う必要がある。アップリンク閉ループパワー制御の調整プロセスにおいて、あるサブフレームｉまで詳しく言えば、その物理アップリンク共有チャネルの送信パワー（ｄＢｍ（ミリワットデシベル）を単位にする）の設置公式（あるいは、パワー制御公式と呼ばれる、以下には公式１に呼ばれる）は、
2011522460.tif 000003
であって、
その中、
ＰＭＡＸは、送信パワーの上限を示し、
ＭＰＵＳＣＨ(ｉ)は、サブフレームｉでＰＵＳＣＨを転送するための帯域、つまり、サブフレームｉでＰＵＳＣＨを転送するためのリソースブロックの数量を示し、
ＰＯ_ＰＵＳＣＨ(ｊ)は、目標基准パワーを示し、変数ｊの具体的な定義は、ＬＴＥの関連している標準文書、たとえば、ＬＴＥ物理層３６.２１３標準における５.１.１.１節の定義を参照できて
2011522460.tif 000004
は、ルート消耗修正因子を示し、
ＰＬは、ルート消耗を示し、
2011522460.tif 000005
は、転送フォーマット逸脱パラメーターであって、その中、
ＫＳ=１．２５のときに、
2011522460.tif 000006
があって、ＫＳ = ０の時に、
2011522460.tif 000007
があって、
ＫＳは、一つのセルに共有されるパラメーターであって、高層のＲＲＣ（Ｒａｄｉｏ ＲｅｓｏｕｒｃｅＣｏｎｔｒｏｌ、無線リソース制御）によって配置され、
2011522460.tif 000008
があって、ＴＢＳは、転送ブロックの大きさを示し、ＮＲＥは、リソースユニットの数量を示し、
2011522460.tif 000009
があって、
2011522460.tif 000010
は、物理アップリンク共有チャネルを転送する帯域を示し、
2011522460.tif 000011
は、ＰＵＳＣＨを転送するためのＳＣ-ＦＤＭＡ（Ｓｉｎｇｌｅ Ｃａｒｒｉｅｒ-Ｆｒｅｑｕｅｎｃｙ Ｄｉｖｉｓｉｏｎ Ｍｕｌｔｉｐｌｅ Ａｃｃｅｓｓ、単一搬送波周波数分割多重アクセス）符号の数量を示し、
2011522460.tif 000012
は、一つのリソースブロックに含まれるサブキャリヤー（リソースユニット）の数量を示し、周波数領域において一つのリソースブロックの大きさを示すことに用いられ、ＴＢＳと
2011522460.tif 000013
は、初回に転送ブロックを送信する時のＰＤＣＣＨにおけるシグナルから取得され、
ｆ(ｉ)は、サブフレームｉのパワー制御修正関数を示す。
【０００４】
ＴＢＳは転送ブロックの大きさを示すために、物理アップリンク共有チャネルにアップリンク制御情報の送信だけあって、アップリンク共有チャネルデータの送信がない場合に、転送ブロックの大きさは０であって、即ち、ＴＢＳ = ０であって、これによって、
2011522460.tif 000014
がある。
【０００５】
この場合、
2011522460.tif 000015
の値は無限値であって、無意義になる。これはシステムの実現に問題が現れることを招いて、物理アップリンク共有チャネルにアップリンク制御情報の送信だけあって、アップリンク共有チャネルデータの送信がない場合に、物理アップリンク共有チャネルのパワー制御を実現することができなくて、アップリンク制御情報の転送性能に影響を与えて、さらにシステムの全体の性能が低下することを引き起こす。
【発明の概要】
【０００６】
本発明の解決しようとする技術的な課題は、既存の技術の不足を克服して、物理アップリンク共有チャネルにアップリンク制御情報の送信だけあって、アップリンク共有チャネルデータの送信がない場合にＰＵＳＣＨの送信パワーの制御方法とシステムを提供して、システムの全体の性能を保証することである。
【０００７】
前記問題を解決するために、本発明は、物理アップリンク共有チャネルの送信パワー制御方法を提供して、アップリンク制御情報の送信だけあって、アップリンク共有チャネルデータの送信がない場合に、チャネル質量指示シグナルとそれに対応する検証に含まれるビットの総数及び幅の逸脱値から物理アップリンク共有チャネルの送信パワーを設置することを含める。
【０００８】
さらに、前記方法は、上記物理アップリンク共有チャネルの送信パワーが下記の式によって設置され、
2011522460.tif 000016
その中、
ＰＭＡＸは、送信パワーの上限を示し、
ＭＰＵＳＣＨ(ｉ)は、サブフレームｉで物理アップリンク共有チャネルを転送するための帯域を示し、
ＰＯ_ＰＵＳＣＨ(ｊ)は、目標基准パワーを示し、
2011522460.tif 000017
は、ルート消耗修正因子を示し、
ＰＬは、ルート消耗を示し、
ｆ(ｉ)は、サブフレームｉのパワー制御修正関数を示し、
2011522460.tif 000018
は、転送フォーマット逸脱パラメーターであって、
ＫＳ=１.２５の時に、
2011522460.tif 000019
、あるいは、
2011522460.tif 000020
があって、ＫＳ = ０の時に、
2011522460.tif 000021
があって、ＫＳは、一つのセルに共有されるパラメーターであって、高層の無線リソース制御により配置されて、
2011522460.tif 000022
があって、ＮＲＥは、リソースユニットの数量を示し、
2011522460.tif 000023
があって、
2011522460.tif 000024
は、物理アップリンク共有チャネルを転送するための帯域を示し、
2011522460.tif 000025
は、ＰＵＳＣＨを転送するための単一搬送波周波数分割多重アクセス符号の数量を示し、
2011522460.tif 000026
は、一つのリソースブロックに含まれるリソースユニットの数量を示し、
2011522460.tif 000027
は、情報ビットの大きさを示し、
2011522460.tif 000028
は、上記幅の逸脱値を示して、
その中、物理アップリンク共有チャネルにアップリンク制御情報の送信だけあって、アップリンク共有チャネルデータの送信がない場合に、
2011522460.tif 000029
があって、
2011522460.tif 000030
の時に、
2011522460.tif 000031
があって、あるいは、
2011522460.tif 000032
の時に、
2011522460.tif 000033
があって、その中、
2011522460.tif 000034
は、チャネル質量指示シグナルとそれに対応する検証に含まれるビットの総数を示し、
2011522460.tif 000035
は、チャネル質量指示情報幅の逸脱値を示し、
2011522460.tif 000036
は、初回に転送ブロックを送信するときのＰＤＣＣＨにおけるシグナルから取得されることを特徴とする。
【０００９】
さらに、前記方法は、上記
2011522460.tif 000037
は高層シグナルにより通知されることを特徴とする。
【００１０】
さらに、前記方法は、前記
2011522460.tif 000038
の値が０.７５０、１.０００、１.１２５、１.２５０、１.３７５、１.６２５、１.７５０、２.０００、２.２５０、２.５００、２.８７５、３.１２５、３.５００、４.０００、５.０００または６．２５０であることを特徴とする。
【００１１】
さらに、前記方法は、物理アップリンク共有チャネルにアップリンク共有チャネルデータの送信だけある場合、あるいは、物理アップリンク共有チャネルにアップリンク制御情報とアップリンク共有チャネルデータの送信がある場合に、
2011522460.tif 000039
があって、
2011522460.tif 000040
の時に、
2011522460.tif 000041
があって、あるいは、
2011522460.tif 000042
の時に、
2011522460.tif 000043
があって、その中、
2011522460.tif 000044
は、転送ブロックの大きさを示し、
2011522460.tif 000045
と
2011522460.tif 000046
は、初回に転送ブロックを送信するときのＰＤＣＣＨにおけるシグナルから取得されることを特徴とする。
【００１２】
さらに、前記方法は、物理アップリンク共有チャネルにアップリンク共有チャネルデータの送信だけある場合に、
2011522460.tif 000047
があって、
2011522460.tif 000048
の時に、
2011522460.tif 000049
があって、あるいは、
2011522460.tif 000050
の時に、
2011522460.tif 000051
があって、その中、
2011522460.tif 000052
は、転送ブロックの大きさを示し、
2011522460.tif 000053
と
2011522460.tif 000054
は、転送ブロックを送信することに関連する最も近いＰＤＣＣＨにおけるシグナルから取得されることを特徴とする。
【００１３】
さらに、前記方法は、物理アップリンク共有チャネルにアップリンク共有チャネルデータの送信だけある場合、あるいは、物理アップリンク共有チャネルにアップリンク制御情報とアップリンク共有チャネルデータの送信がある場合に、
2011522460.tif 000055
があって、
2011522460.tif 000056
の時に、
2011522460.tif 000057
があって、あるいは、
2011522460.tif 000058
の時に、
2011522460.tif 000059
があって、Ｃは、コーディングブロックの総数を示し、
2011522460.tif 000060
は、インデックスがｒであるコーディングブロックに含まれるビットの数量を示し、上記
2011522460.tif 000061
、
2011522460.tif 000062
及び
2011522460.tif 000063
は初回に転送ブロックを送信する時のＰＤＣＣＨにおけるシグナルから取得されることを特徴とする。
【００１４】
さらに、前記方法は、物理アップリンク共有チャネルにアップリンク共有チャネルデータの送信だけある場合に、
2011522460.tif 000064
があって、
2011522460.tif 000065
の時に、
2011522460.tif 000066
があって、あるいは、
2011522460.tif 000067
の時に、
2011522460.tif 000068
があって、Ｃは、コーディングブロックの総数を示し、
2011522460.tif 000069
は、インデックスがｒであるコーディングブロックに含まれるビットの数量を示し、上記
2011522460.tif 000070
、
2011522460.tif 000071
と
2011522460.tif 000072
は、転送ブロックを送信することに関連する最も近いＰＤＣＣＨにおけるシグナルから取得されることを特徴とする。
【００１５】
さらに、前記方法は、上記アップリンク制御情報が、肯定応答ＡＣＫ、及び/または否定応答ＮＡＣＫ、及び/または階数指示情報ＲＩ、チャネル質量指示ＣＱＩ、及び/またはプリコーディングマトリックス指示ＰＭＩを含めることを特徴とする。
【００１６】
本発明は、さらに物理アップリンク共有チャネルの送信パワー制御システムを提供し、物理アップリンク共有チャネルにアップリンク制御情報の送信だけあって、アップリンク共有チャネルデータの送信がない場合に、チャネル質量指示シグナルとそれに対応する検証に含まれるビットの総数、及び幅の逸脱値から物理アップリンク共有チャネルの送信パワーを設置することに用いられるパワー設置モジュールを含める。
【００１７】
さらに、前記システムは、上記パワー設置モジュールが下式によりて上記物理アップリンク共有チャネルの送信パワーを設置することに用いられ、
2011522460.tif 000073
その中、
ＰＭＡＸは、送信パワーの上限を示し、
ＭＰＵＳＣＨ(ｉ)は、サブフレームｉで物理アップリンク共有チャネルを転送するための帯域を示し、
ＰＯ_ＰＵＳＣＨ(ｊ)は、目標基准パワーを示し、
2011522460.tif 000074
は、ルート消耗修正因子を示し、
ＰＬは、ルート消耗を示し、
ｆ(ｉ)は、サブフレームｉのパワー制御修正関数を示し、
2011522460.tif 000075
は、転送フォーマット逸脱パラメーターであって、
ＫＳ=１．２５の時に、
2011522460.tif 000076
あるいは
2011522460.tif 000077
があって、ＫＳ = ０の時に、
2011522460.tif 000078
があって、ＫＳは、一つのセルに共有されるパラメーターであって、高層の無線リソース制御により配置され、
2011522460.tif 000079
があって、ＮＲＥは、リソースユニットの数量を示し、
2011522460.tif 000080
があって、
2011522460.tif 000081
は、物理アップリンク共有チャネルを転送するための帯域を示し、
2011522460.tif 000082
はＰＵＳＣＨを転送するための単一搬送波周波数分割多重アクセス符号の数量を示し、
2011522460.tif 000083
は、一つのリソースブロックに含まれるリソースユニットの数量を示し、
2011522460.tif 000084
は、情報ビットの大きさを示し、
2011522460.tif 000085
は、上記幅の逸脱値を示して、
その中、物理アップリンク共有チャネルにアップリンク制御情報の送信だけあって、アップリンク共有チャネルデータの送信がない場合に、
2011522460.tif 000086
があって、
2011522460.tif 000087
の時に、
2011522460.tif 000088
があって、あるいは
2011522460.tif 000089
の時に、
2011522460.tif 000090
があって、その中、
2011522460.tif 000091
は、チャネル質量指示シグナルとそれに対応する検証に含まれるビットの総数を示し、
2011522460.tif 000092
は、チャネル質量指示情報の幅の逸脱値を示し、
2011522460.tif 000093
は、初回に転送ブロックを送信する時のＰＤＣＣＨにおけるシグナルから取得されることを特徴とする。
【００１８】
さらに、前記システムは、上記パワー設置モジュールが、高層シグナルから上記
2011522460.tif 000094
を取得することに用いられることを特徴とする。
【００１９】
さらに、前記システムは、上記パワー設置モジュールが、物理アップリンク共有チャネルにアップリンク共有チャネルデータの送信だけある場合、あるいは、物理アップリンク共有チャネルにアップリンク制御情報とアップリンク共有チャネルデータの送信がある場合に、上記
2011522460.tif 000095
と
2011522460.tif 000096
の値を下記の方式によって特定することに用いられ、
2011522460.tif 000097
があって、
2011522460.tif 000098
の時に、
2011522460.tif 000099
があって、あるいは、
2011522460.tif 000100
の時に、
2011522460.tif 000101
があって、その中、
2011522460.tif 000102
は、転送ブロックの大きさを示し、
2011522460.tif 000103
と
2011522460.tif 000104
は、初回に転送ブロックを送信する時のＰＤＣＣＨにおけるシグナルから取得されることを特徴とする。
【００２０】
さらに、前記システムは、上記パワー設置モジュールが、物理アップリンク共有チャネルにアップリンク共有チャネルデータの送信だけある場合に、
2011522460.tif 000105
と
2011522460.tif 000106
の値を下記の方式によって特定することに用いられ、
2011522460.tif 000107
があって、
2011522460.tif 000108
の時に、
2011522460.tif 000109
があって、あるいは
2011522460.tif 000110
の時に、
2011522460.tif 000111
があって、その中、
2011522460.tif 000112
は、転送ブロックの大きさを示し、ＴＢＳと
2011522460.tif 000113
は、転送ブロックを送信することに関連する最も近いＰＤＣＣＨにおけるシグナルから取得されることを特徴とする。
【００２１】
さらに、前記システムは、上記パワー設置モジュールが、物理アップリンク共有チャネルにアップリンク共有チャネルデータの送信だけある場合、あるいは、物理アップリンク共有チャネルにアップリンク制御情報とアップリンク共有チャネルデータの送信がある場合に、
2011522460.tif 000114
と
2011522460.tif 000115
の値を下記の方式によって特定することに用いられ、
2011522460.tif 000116
があって、
2011522460.tif 000117
の時に、
2011522460.tif 000118
があって、あるいは
2011522460.tif 000119
の時に、
2011522460.tif 000120
があって、Ｃは、コーディングブロックの総数を示し、
2011522460.tif 000121
は、インデックスがｒであるコーディングブロックに含まれるビットの数量を示し、上記
2011522460.tif 000122
、
2011522460.tif 000123
及び
2011522460.tif 000124
は、初回に転送ブロックを送信する時のＰＤＣＣＨにおけるシグナルから得されることを特徴とする。
【００２２】
さらに、前記システムは、上記パワー設置モジュールが、物理アップリンク共有チャネルにアップリンク共有チャネルデータの送信だけある場合に、
2011522460.tif 000125
と
2011522460.tif 000126
の値を下記の方式によって特定することに用いられ、
2011522460.tif 000127
があって、
2011522460.tif 000128
の時に、
2011522460.tif 000129
があって、あるいは
2011522460.tif 000130
の時に、
2011522460.tif 000131
があって、Ｃは、コーディングブロックの総数を示し、
2011522460.tif 000132
はインデックスがｒであるコーディングブロックに含まれるビットの数量を示し、上記
2011522460.tif 000133
、
2011522460.tif 000134
及び
2011522460.tif 000135
は転送ブロックを送信することに関連する最も近いＰＤＣＣＨにおけるシグナルから取得されることを特徴とする。
【００２３】
本発明は、物理アップリンク共有チャネルの送信パワー制御方法及びシステムを提供して、物理アップリンク共有チャネルにアップリンク制御情報の送信だけあって、アップリンク共有チャネルデータの送信がない場合に、物理アップリンク共有チャネルのパワー制御の問題を解決して、システムの全体の性能を保証する。
【図面の簡単な説明】
【００２４】
【図１】本発明における実施例が物理アップリンク共有チャネルにアップリンク制御情報の送信だけあって、アップリンク共有チャネルデータの送信がない場合に物理アップリンク共有チャネルの送信パワーを計算するフローチャートである。
【発明を実施するための形態】
【００２５】
本発明の基本思想は、物理アップリンク共有チャネルにアップリンク制御情報の送信だけであって、アップリンク共有チャネルデータの送信がない場合に、チャネル質量指示シグナルとそれに対応する検証（ＣＲＣ）に含まれるビットの総数及び幅の逸脱値から転送フォーマット逸脱パラメーターを設置した上で、さらに転送フォーマット逸脱パラメーターから物理アップリンク共有チャネルの送信パワーを設置することにある。
【００２６】
図１に示すように、本発明における物理アップリンク共有チャネルの送信パワー制御方法は下記のステップを含める。
ステップ１０１：当面の物理アップリンク共有チャネルに転送されるデータのタイプを知る。
ステップ１０２：物理アップリンク共有チャネルにアップリンク制御情報の送信だけあって、アップリンク共有チャネルデータの送信がない場合に、転送フォーマット逸脱パラメーターを設置する。
ステップ１０３：物理アップリンク共有チャネルの送信パワーを計算して、計算された結果から物理アップリンク共有チャネルの送信パワーを設置する。
【００２７】
その中、ステップ１０２において、チャネル質量指示シグナルとそれに対応する検証に含まれるビットの総数及び幅の逸脱値から転送フォーマット逸脱パラメーターを設置して、ステップ１０３において、転送フォーマット逸脱パラメーターから物理アップリンク共有チャネルの送信パワーを設置する。
【００２８】
（実施例１）
物理アップリンク共有チャネルの送信パワーを計算する公式は下記の通りである。
2011522460.tif 000136
その中、
ＰＭＡＸは、送信パワーの上限を示す。
ＭＰＵＳＣＨ(ｉ)は、サブフレームｉでＰＵＳＣＨを転送するための帯域を示す。
ＰＯ_ＰＵＳＣＨ(ｊ)は、目標基准パワーを示す。（具体的な定義は、ＬＴＥ物理層３６.２１３標準における５.１.１.１節の定義を参照できる）
2011522460.tif 000137
は、ルート消耗修正因子を示す。
ＰＬは、ルート消耗を示す。
2011522460.tif 000138
は、転送フォーマット逸脱パラメーターと呼ばれる。
【００２９】
ＫＳ=１.２５の時に、
2011522460.tif 000139
があって、ＫＳ = ０の時に、
2011522460.tif 000140
があって、ＫＳは、一つのセルに共有されるパラメーターであって、高層の無線リソース制御により配置されて、
2011522460.tif 000141
があって、ＮＲＥは、リソースユニットの数量を示し、
2011522460.tif 000142
があって、
2011522460.tif 000143
は、物理アップリンク共有チャネルを転送する帯域を示し、
2011522460.tif 000144
は、ＰＵＳＣＨを転送するための単一搬送波周波数分割多重アクセス符号の数量を示し、
2011522460.tif 000145
は、一つのリソースブロックに含まれるリソースユニットの数量を示し、
2011522460.tif 000146
は、情報ビットの大きさを示し、
2011522460.tif 000147
は、幅の逸脱値を示す。
【００３０】
物理アップリンク共有チャネルにアップリンク制御情報の送信だけあって、アップリンク共有チャネルデータの送信がない場合に、
2011522460.tif 000148
、
2011522460.tif 000149
があって、その中、
2011522460.tif 000150
は、チャネル質量指示シグナルとそれに対応する検証に含まれるビットの総数を示し、
2011522460.tif 000151
は、チャネル質量指示情報の幅の逸脱値を示し、高層シグナルから通知されて、
2011522460.tif 000152
は、初回に転送ブロックを送信する時のＰＤＣＣＨにけるシグナルから取得される。
【００３１】
その他の場合（物理アップリンク共有チャネルにアップリンク共有チャネルデータの送信だけある場合、あるいは、物理アップリンク共有チャネルにアップリンク制御情報とアップリンク共有チャネルデータの送信がある場合）で、
2011522460.tif 000153
、
2011522460.tif 000154
があって、その中、
2011522460.tif 000155
は、転送ブロックの大きさを示し、
2011522460.tif 000156
と
2011522460.tif 000157
は、初回に転送ブロックを送信する時のＰＤＣＣＨにおけるシグナルから取得される。
【００３２】
2011522460.tif 000158
は、チャネル質量指示情報の幅の逸脱値を示し、高層インデックス
2011522460.tif 000159
から通知され、高層インデックス
2011522460.tif 000160
と
2011522460.tif 000161
との対応関係は、表１に示すようなものであるが、本発明がこれに限定されるものではなく、高層インデックス
2011522460.tif 000162
と
2011522460.tif 000163
との対応関係はその他の方式でもよい。
【００３３】
【表１】
2011522460.tif 000164
【００３４】
ｆ(ｉ)は、サブフレームｉのパワー制御修正関数を示す。
また、上記アップリンク制御情報は、肯定応答ＡＣＫ、及び/又は否定応答ＮＡＣＫ、及び/又は階数指示情報ＲＩ、チャネル質量指示ＣＱＩ、及び/又はプリコーディングマトリックス指示ＰＭＩを含める。
【００３５】
（実施例２）
物理アップリンク共有チャネルの送信パワーを計算する公式は下記の通りである。
2011522460.tif 000165
その中、
ＰＭＡＸは、送信パワーの上限を示す。
ＭＰＵＳＣＨ(ｉ) は、サブフレームｉでＰＵＳＣＨを転送するための帯域を示す。
ＰＯ_ＰＵＳＣＨ(ｊ)は、目標基准パワーを示す。（具体的な定義は、ＬＴＥ物理層３６.２１３標準における５.１.１.１節の定義を参照できる）
2011522460.tif 000166
は、ルート消耗修正因子を示す。
ＰＬは、ルート消耗を示す。
2011522460.tif 000167
は転送フォーマット逸脱パラメーターと呼ばれる。
【００３６】
ＫＳ=１.２５の時に、
2011522460.tif 000168
があって、ＫＳ = ０の時に、
2011522460.tif 000169
があって、ＫＳは、一つのセルに共有されるパラメーターであって、高層の無線リソース制御により配置されて、
2011522460.tif 000170
があって、ＮＲＥは、リソースユニットの数量を示し、
2011522460.tif 000171
があって、
2011522460.tif 000172
は、物理アップリンク共有チャネルを転送する帯域を示し、
2011522460.tif 000173
は、ＰＵＳＣＨを転送するための単一搬送波周波数分割多重アクセス符号の数量を示し、
2011522460.tif 000174
は、一つのリソースブロックに含まれるリソースユニットの数量を示し、
2011522460.tif 000175
は、情報ビットの大きさを示し、
2011522460.tif 000176
は、幅の逸脱値を示す。
【００３７】
物理アップリンク共有チャネルにアップリンク制御情報の送信だけあって、アップリンク共有チャネルデータの送信がない場合に、
2011522460.tif 000177
、
2011522460.tif 000178
があって、その中、
2011522460.tif 000179
は、チャネル質量指示シグナルとそれに対応する検証に含まれるビットの総数を示し、
2011522460.tif 000180
は、チャネル質量指示情報の幅の逸脱値を示し、高層シグナルから通知されて、
2011522460.tif 000181
は、初回に転送ブロックを送信する時のＰＤＣＣＨにおけるシグナルから取得される。
【００３８】
物理アップリンク共有チャネルにアップリンク制御情報とアップリンク共有チャネルデータの送信がある場合に、
2011522460.tif 000182
、
2011522460.tif 000183
があって、その中、
2011522460.tif 000184
は、転送ブロックの大きさを示し、
2011522460.tif 000185
と
2011522460.tif 000186
は、初回に転送ブロックを送信する時のＰＤＣＣＨにおけるシグナルから取得される。
【００３９】
物理アップリンク共有チャネルにアップリンク共有チャネルデータの送信だけある場合に、
2011522460.tif 000187
、
2011522460.tif 000188
があって、その中、
2011522460.tif 000189
は、転送ブロックの大きさを示し、
2011522460.tif 000190
と
2011522460.tif 000191
は、転送ブロックを送信することに関連する最も近いＰＤＣＣＨにおけるシグナルから取得される。 
【００４０】
2011522460.tif 000192
は、チャネル質量指示情報の幅の逸脱値を示し、高層インデックス
2011522460.tif 000193
から通知され、
2011522460.tif 000194
と
2011522460.tif 000195
との対応関係は、表１に示すようなものであるが、本発明がこれに限定されるものではなく、高層インデックス
2011522460.tif 000196
と
2011522460.tif 000197
との対応関係は、その他の方式でもよい。
【００４１】
ｆ(ｉ)は、サブフレームのパワー制御修正関数を示す。
また、上記アップリンク制御情報は、肯定応答ＡＣＫ、及び/又は否定応答ＮＡＣＫ、及び/又は階数指示情報ＲＩ、チャネル質量指示ＣＱＩ、及び/又はプリコーディングマトリックス指示ＰＭＩを含める。
【００４２】
（実施例３）
物理アップリンク共有チャネルの送信パワーを計算する公式は下記の通りである。
2011522460.tif 000198
その中、
ＰＭＡＸは、送信パワーの上限を示す。
ＭＰＵＳＣＨ(ｉ)は、サブフレームｉにおいてＰＵＳＣＨを転送するための帯域を示す。
ＰＯ_ＰＵＳＣＨ(ｊ)は、目標基准パワーを示す。（具体的な定義は、ＬＴＥ物理層３６.２１３標準における５.１.１.１節の定義を参照できる）
2011522460.tif 000199
は、ルート消耗修正因子を示す。
ＰＬは、ルート消耗を示す。
2011522460.tif 000200
は、転送フォーマット逸脱パラメーターと呼ばれる。
【００４３】
ＫＳ=１.２５の時に、
2011522460.tif 000201
があって、ＫＳ = ０の時に、
2011522460.tif 000202
があって、ＫＳは、一つのセルに共有されるパラメーターであって、高層の無線リソース制御により配置されて、
2011522460.tif 000203
があって、ＮＲＥは、リソースユニットの数量を示し、
2011522460.tif 000204
があって、
2011522460.tif 000205
は、物理アップリンク共有チャネルを転送する帯域を示し、
2011522460.tif 000206
は、ＰＵＳＣＨを転送するための単一搬送波周波数分割多重アクセス符号の数量を示し、
2011522460.tif 000207
は、一つのリソースブロックに含まれるリソースユニットの数量を示し、
2011522460.tif 000208
は、情報ビットの大きさを示し、
2011522460.tif 000209
は、幅の逸脱値を示す。
【００４４】
物理アップリンク共有チャネルにアップリンク制御情報の送信だけあって、アップリンク共有チャネルデータの送信がない場合に、
2011522460.tif 000210
、
2011522460.tif 000211
があって、その中、
2011522460.tif 000212
は、チャネル質量指示シグナルとそれに対応する検証に含まれるビットの総数を示し、
2011522460.tif 000213
は、チャネル質量指示情報の幅の逸脱値を示し、高層シグナルから通知されて、
2011522460.tif 000214
は、初回に転送ブロックを送信する時のＰＤＣＣＨにおけるシグナルから取得される。
【００４５】
その他の情况（物理アップリンク共有チャネルにアップリンク制御情報とアップリンク共有チャネルデータの送信がある場合に、あるいは、物理アップリンク共有チャネルにアップリンク共有チャネルデータの送信だけある場合に）で、
2011522460.tif 000215
、
2011522460.tif 000216
があって、その中、Ｃは、コーディングブロックの総数を示し、
2011522460.tif 000217
は、インデックスがｒであるコーディングブロックに含まれるビットの数量を示し、
2011522460.tif 000218
、
2011522460.tif 000219
及び
2011522460.tif 000220
は、初回に転送ブロックを送信する時のＰＤＣＣＨにおけるシグナルから取得される。
【００４６】
2011522460.tif 000221
は、チャネル質量指示情報の幅の逸脱値を示し、高層インデックス
2011522460.tif 000222
から通知され、高層インデックス
2011522460.tif 000223
と
2011522460.tif 000224
との対応関係は表１に示すようなものであるが、本発明がこれに限定されるものではなく、高層インデックス
2011522460.tif 000225
と
2011522460.tif 000226
との対応関係はその他の方式でもよい。
【００４７】
ｆ(ｉ)は、サブフレームのパワー制御修正関数を示す。
また、上記アップリンク制御情報は、肯定応答ＡＣＫ、及び/又は否定応答ＮＡＣＫ、及び/又は階数指示情報ＲＩ、チャネル質量指示ＣＱＩ、及び/又はプリコーディングマトリックス指示ＰＭＩを含める。
【００４８】
（実施例４）
物理アップリンク共有チャネルの送信パワーを計算する公式は下記の通りである。
2011522460.tif 000227
その中、
ＰＭＡＸは、送信パワーの上限を示す。
ＭＰＵＳＣＨ(ｉ)は、サブフレームｉにおいてＰＵＳＣＨを転送するための帯域を示す。
ＰＯ_ＰＵＳＣＨ(ｊ)は、目標基准パワーを示す。（具体的な定義は、ＬＴＥ物理層３６.２１３標準における５.１.１.１節の定義を参照できる）
2011522460.tif 000228
は、ルート消耗修正因子を示す。
ＰＬは、ルート消耗を示す。
2011522460.tif 000229
は、転送フォーマット逸脱パラメーターと呼ばれる。
【００４９】
ＫＳ=１.２５の時に、
2011522460.tif 000230
があって、ＫＳ = ０の時に、
2011522460.tif 000231
があって、ＫＳは、一つのセルに共有されるパラメーターであって、高層の無線リソース制御により配置されて、
2011522460.tif 000232
があって、ＮＲＥは、リソースユニットの数量を示し、
2011522460.tif 000233
があって、
2011522460.tif 000234
は、物理アップリンク共有チャネルを転送する帯域を示し、
2011522460.tif 000235
は、ＰＵＳＣＨを転送するための単一搬送波周波数分割多重アクセス符号の数量を示し、
2011522460.tif 000236
は、一つのリソースブロックに含まれるリソースユニットの数量を示し、
2011522460.tif 000237
は、情報ビットの大きさを示し、
2011522460.tif 000238
は、幅の逸脱値を示す。
【００５０】
物理アップリンク共有チャネルにアップリンク制御情報の送信だけあって、アップリンク共有チャネルデータの送信がない場合に、
2011522460.tif 000239
、
2011522460.tif 000240
があって、その中、
2011522460.tif 000241
は、チャネル質量指示シグナルとそれに対応する検証に含まれるビットの総数を示し、
2011522460.tif 000242
は、チャネル質量指示情報の幅の逸脱値を示し、高層シグナルから通知されて、
2011522460.tif 000243
は、初回に転送ブロックを送信する時のＰＤＣＣＨにおけるシグナルから取得される。
【００５１】
物理アップリンク共有チャネルにアップリンク制御情報とアップリンク共有チャネルデータの送信がある場合に、
2011522460.tif 000244
、
2011522460.tif 000245
があって、その中、Ｃは、コーディングブロックの総数を示し、
2011522460.tif 000246
は、インデックスがｒであるコーディングブロックに含まれるビットの数量を示し、
2011522460.tif 000247
、
2011522460.tif 000248
及び
2011522460.tif 000249
は、初回に転送ブロックを送信する時のＰＤＣＣＨにおけるシグナルから取得される。
【００５２】
物理アップリンク共有チャネルにアップリンク共有チャネルデータの送信だけある場合に、
2011522460.tif 000250
、
2011522460.tif 000251
があって、その中、Ｃは、コーディングブロックの総数を示し、
2011522460.tif 000252
は、インデックスがｒであるコーディングブロックに含まれるビットの数量を示し、
2011522460.tif 000253
、
2011522460.tif 000254
と
2011522460.tif 000255
は、転送ブロックを送信することに関連する最も近いＰＤＣＣＨにおけるシグナルから取得される。
【００５３】
2011522460.tif 000256
は、チャネル質量指示情報の幅の逸脱値を示し、高層インデックス
2011522460.tif 000257
から通知され、高層インデックス
2011522460.tif 000258
と
2011522460.tif 000259
との対応関係は表１に示すようなものであるが、本発明がこれに限定されるものではなく、高層インデックス
2011522460.tif 000260
と
2011522460.tif 000261
との対応関係はその他の方式でもよい。
【００５４】
ｆ(ｉ)は、サブフレームのパワー制御修正関数を示す。
また、上記アップリンク制御情報は、肯定応答ＡＣＫ、及び/又は否定応答ＮＡＣＫ、及び/又は階数指示情報ＲＩ、チャネル質量指示ＣＱＩ、及び/又はプリコーディングマトリックス指示ＰＭＩを含める。
【００５５】
（実施例５）
物理アップリンク共有チャネルの送信パワーを計算する公式は下記の通りである。
2011522460.tif 000262
その中、
ＰＭＡＸは、送信パワーの上限を示す。
ＭＰＵＳＣＨ(ｉ)は、サブフレームｉでＰＵＳＣＨを転送するための帯域を示す。
ＰＯ_ＰＵＳＣＨ(ｊ)は、目標基准パワーを示す。（具体的な定義は、ＬＴＥ物理層３６.２１３標準における５.１.１.１節の定義を参照できる）
2011522460.tif 000263
は、ルート消耗修正因子を示す。
ＰＬは、ルート消耗を示す。
2011522460.tif 000264
は、転送フォーマット逸脱パラメーターと呼ばれる。
【００５６】
ＫＳ=１.２５の時に、
2011522460.tif 000265
があって、ＫＳ = ０の時に、
2011522460.tif 000266
があって、ＫＳは、一つのセルに共有されるパラメーターであって、高層の無線リソース制御により配置されて、
2011522460.tif 000267
があって、ＮＲＥは、リソースユニットの数量を示し、
2011522460.tif 000268
があって、
2011522460.tif 000269
は、物理アップリンク共有チャネルを転送する帯域を示し、
2011522460.tif 000270
は、ＰＵＳＣＨを転送するための単一搬送波周波数分割多重アクセス符号の数量を示し、
2011522460.tif 000271
は、一つのリソースブロックに含まれるリソースユニットの数量を示し、
2011522460.tif 000272
は、情報ビットの大きさを示し、
2011522460.tif 000273
は、幅の逸脱値を示す。
【００５７】
物理アップリンク共有チャネルにアップリンク制御情報の送信だけあって、アップリンク共有チャネルデータの送信がない場合に、
2011522460.tif 000274
、
2011522460.tif 000275
があって、その中、
2011522460.tif 000276
は、チャネル質量指示シグナルとそれに対応する検証に含まれるビットの総数を示し、
2011522460.tif 000277
は、チャネル質量指示情報の幅の逸脱値を示し、高層シグナルから通知され、
2011522460.tif 000278
は、初回に転送ブロックを送信する時のＰＤＣＣＨにおけるシグナルから取得される。
【００５８】
その他の場合（物理アップリンク共有チャネルにアップリンク共有チャネルデータの送信だけある場合、あるいは、物理アップリンク共有チャネルにアップリンク制御情報とアップリンク共有チャネルデータの送信がある場合）で、
2011522460.tif 000279
、
2011522460.tif 000280
があって、その中、
2011522460.tif 000281
は、転送ブロックの大きさを示し、
2011522460.tif 000282
と
2011522460.tif 000283
は、初回に転送ブロックを送信する時のＰＤＣＣＨにけるシグナルから取得される。
【００５９】
2011522460.tif 000284
は、チャネル質量指示情報の幅の逸脱値を示し、高層インデックス
2011522460.tif 000285
から通知され、高層インデックス
2011522460.tif 000286
と
2011522460.tif 000287
との対応関係は、表１に示すようなものであるが、本発明がこれに限定されるものではなく、高層インデックス
2011522460.tif 000288
と
2011522460.tif 000289
との対応関係は、その他の方式でもよい。
【００６０】
ｆ(ｉ)は、サブフレームのパワー制御修正関数を示す。
また、上記アップリンク制御情報は、肯定応答ＡＣＫ、及び/又は否定応答ＮＡＣＫ、及び/又は階数指示情報ＲＩ、チャネル質量指示ＣＱＩ、及び/又はプリコーディングマトリックス指示ＰＭＩを含める。
【００６１】
（実施例６）
物理アップリンク共有チャネルの送信パワーを計算する公式は下記の通りである。
2011522460.tif 000290
その中、
ＰＭＡＸは、送信パワーの上限を示す。
ＭＰＵＳＣＨ(ｉ) は、サブフレームｉにおいてＰＵＳＣＨを転送するための帯域を示す。
ＰＯ_ＰＵＳＣＨ(ｊ)は、目標基准パワーを示す。（具体的な定義は、、ＬＴＥ物理層３６.２１３標準における５.１.１.１節の定義を参照できる）
2011522460.tif 000291
は、ルート消耗修正因子を示す。
ＰＬは、ルート消耗を示す。
2011522460.tif 000292
は転送フォーマット逸脱パラメーターと呼ばれる。
【００６２】
ＫＳ=１.２５の時に、
2011522460.tif 000293
があって、ＫＳ = ０の時に、
2011522460.tif 000294
があって、ＫＳは、一つのセルに共有されるパラメーターであって、高層の無線リソース制御により配置され、
2011522460.tif 000295
、ＮＲＥは、リソースユニットの数量を示し、
2011522460.tif 000296
があって、
2011522460.tif 000297
は、物理アップリンク共有チャネルを転送する帯域を示し、
2011522460.tif 000298
は、ＰＵＳＣＨを転送するための単一搬送波周波数分割多重アクセス符号の数量を示し、
2011522460.tif 000299
は、一つのリソースブロックに含まれるリソースユニットの数量を示し、
2011522460.tif 000300
は、情報ビットの大きさを示し、
2011522460.tif 000301
は、幅の逸脱値を示す。
【００６３】
物理アップリンク共有チャネルにアップリンク制御情報の送信だけあって、アップリンク共有チャネルデータの送信がない場合に、
2011522460.tif 000302
、
2011522460.tif 000303
があって、その中、
2011522460.tif 000304
は、チャネル質量指示シグナルとそれに対応する検証に含まれるビットの総数を示し、
2011522460.tif 000305
は、チャネル質量指示情報の幅の逸脱値を示し、高層シグナルから通知され、
2011522460.tif 000306
は初回に転送ブロックを送信する時のＰＤＣＣＨにおけるシグナルから取得される。
【００６４】
物理アップリンク共有チャネルにアップリンク制御情報とアップリンク共有チャネルデータの送信がある場合に、
2011522460.tif 000307
、
2011522460.tif 000308
があって、その中、
2011522460.tif 000309
は、転送ブロックの大きさを示し、
2011522460.tif 000310
と
2011522460.tif 000311
は、初回に転送ブロックを送信する時のＰＤＣＣＨにおけるシグナルから取得される。
【００６５】
物理アップリンク共有チャネルにアップリンク共有チャネルデータの送信だけある場合に、
2011522460.tif 000312
、
2011522460.tif 000313
があって、その中、
2011522460.tif 000314
は、転送ブロックの大きさを示し、
2011522460.tif 000315
と
2011522460.tif 000316
は、転送ブロックを送信することに関連する最も近いＰＤＣＣＨにおけるシグナルから取得される。
【００６６】
2011522460.tif 000317
は、チャネル質量指示情報の幅の逸脱値を示し、高層インデックス
2011522460.tif 000318
から通知され、高層インデックス
2011522460.tif 000319
と
2011522460.tif 000320
との対応関係は、表１に示すようなものであるが、本発明がこれに限定されるものではなく、高層インデックス
2011522460.tif 000321
と 
2011522460.tif 000322
との対応関係は、その他の方式でもよい。
【００６７】
ｆ(ｉ)は、サブフレームのパワー制御修正関数を示す。
また、上記アップリンク制御情報は肯定応答ＡＣＫ、及び/又は否定応答ＮＡＣＫ、及び/又は階数指示情報ＲＩ、チャネル質量指示ＣＱＩ、及び/又はプリコーディングマトリックス指示ＰＭＩを含める。
【００６８】
（実施例７）
物理アップリンク共有チャネルの送信パワーを計算する公式は下記の通りである。
2011522460.tif 000323
その中、
ＰＭＡＸは、送信パワーの上限を示す。
ＭＰＵＳＣＨ(ｉ)は、サブフレームｉでＰＵＳＣＨを転送するための帯域を示す。
ＰＯ_ＰＵＳＣＨ(ｊ)は、目標基准パワーを示す。（具体的な定義は、ＬＴＥ物理層３６.２１３標準における５.１.１.１節の定義を参照できる）
2011522460.tif 000324
は、ルート消耗修正因子を示す。
ＰＬは、ルート消耗を示す。
2011522460.tif 000325
は、転送フォーマット逸脱パラメーターと呼ばれる。
【００６９】
ＫＳ=１.２５の時に、
2011522460.tif 000326
があって、ＫＳ = ０の時に、
2011522460.tif 000327
があって、ＫＳは、一つのセルに共有されるパラメーターであって、高層の無線リソース制御により配置されて、
2011522460.tif 000328
があって、ＮＲＥは、リソースユニットの数量を示し、
2011522460.tif 000329
があって、
2011522460.tif 000330
は、物理アップリンク共有チャネルを転送する帯域を示し、
2011522460.tif 000331
は、ＰＵＳＣＨを転送するための単一搬送波周波数分割多重アクセス符号の数量を示し、
2011522460.tif 000332
は、一つのリソースブロックに含まれるリソースユニットの数量を示し、
2011522460.tif 000333
は、情報ビットの大きさを示し、
2011522460.tif 000334
は、幅の逸脱値を示す。
【００７０】
物理アップリンク共有チャネルにアップリンク制御情報の送信だけあって、アップリンク共有チャネルデータの送信がない場合に、
2011522460.tif 000335
、
2011522460.tif 000336
があって、その中、
2011522460.tif 000337
は、チャネル質量指示シグナルとそれに対応する検証に含まれるビットの総数を示し、
2011522460.tif 000338
は、チャネル質量指示情報の幅の逸脱値を示し、高層シグナルから通知され、
2011522460.tif 000339
は、初回に転送ブロックを送信する時のＰＤＣＣＨにおけるシグナルから取得される。
【００７１】
その他の場合（物理アップリンク共有チャネルにアップリンク制御情報とアップリンク共有チャネルデータの送信がある場合、あるいは、物理アップリンク共有チャネルにアップリンク共有チャネルデータの送信だけある場合）で、
2011522460.tif 000340
、
2011522460.tif 000341
があって、その中、Ｃは、コーディングブロックの総数を示し、
2011522460.tif 000342
は、インデックスがｒであるコーディングブロックに含まれるビットの数量を示し、
2011522460.tif 000343
、
2011522460.tif 000344
及び
2011522460.tif 000345
は、初回に転送ブロックを送信する時のＰＤＣＣＨにおけるシグナルから取得される。 
【００７２】
2011522460.tif 000346
は、チャネル質量指示情報の幅の逸脱値を示し、高層インデックス
2011522460.tif 000347
から通知され、高層インデックス
2011522460.tif 000348
と
2011522460.tif 000349
との対応関係は、表１に示すようなものであるが、本発明がこれに限定されるものではなく、高層インデックス
2011522460.tif 000350
と
2011522460.tif 000351
との対応関係は、その他の方式でもよい。
【００７３】
ｆ(ｉ)は、サブフレームのパワー制御修正関数を示す。
また、上記アップリンク制御情報は、肯定応答ＡＣＫ、及び/又は否定応答ＮＡＣＫ、及び/又は階数指示情報ＲＩ、チャネル質量指示ＣＱＩ、及び/又はプリコーディングマトリックス指示ＰＭＩを含める。
【００７４】
（実施例８）
物理アップリンク共有チャネルの送信パワーを計算する公式は下記の通りである。
2011522460.tif 000352
その中、
ＰＭＡＸは、送信パワーの上限を示す。
ＭＰＵＳＣＨ(ｉ)は、サブフレームｉにおいてＰＵＳＣＨを転送するための帯域を示す。
ＰＯ_ＰＵＳＣＨ(ｊ)は、目標基准パワーを示す。（具体的な定義は、ＬＴＥ物理層３６.２１３標準における５.１.１.１節の定義を参照できる）
2011522460.tif 000353
は、ルート消耗修正因子を示す。
ＰＬは、ルート消耗を示す。
2011522460.tif 000354
は、転送フォーマット逸脱パラメーターと呼ばれる。
【００７５】
ＫＳ=１.２５の時に、
2011522460.tif 000355
があって、ＫＳ = ０の時に、
2011522460.tif 000356
があって、ＫＳは、一つのセルに共有されるパラメーターであって、高層の無線リソース制御により配置され、
2011522460.tif 000357
があって、 ＮＲＥは、リソースユニットの数量を示し、
2011522460.tif 000358
があって、
2011522460.tif 000359
は、物理アップリンク共有チャネルを転送する帯域を示し、
2011522460.tif 000360
は、ＰＵＳＣＨを転送するための単一搬送波周波数分割多重アクセス符号の数量を示し、
2011522460.tif 000361
は一つのリソースブロックに含まれるリソースユニットの数量を示し、
2011522460.tif 000362
は、情報ビットの大きさを示し、
2011522460.tif 000363
は、幅の逸脱値を示す。
【００７６】
物理アップリンク共有チャネルにアップリンク制御情報の送信だけあって、アップリンク共有チャネルデータの送信がない場合に、
2011522460.tif 000364
、
2011522460.tif 000365
があって、その中、
2011522460.tif 000366
は、チャネル質量指示シグナルとそれに対応する検証に含まれるビットの総数を示し、
2011522460.tif 000367
は、チャネル質量指示情報の幅の逸脱値を示し、高層シグナルから通知されて、
2011522460.tif 000368
は、初回に転送ブロックを送信する時のＰＤＣＣＨにおけるシグナルから取得される。
【００７７】
物理アップリンク共有チャネルにアップリンク制御情報とアップリンク共有チャネルデータとの送信がある場合に、
2011522460.tif 000369
、
2011522460.tif 000370
があって、その中、Ｃは、コーディングブロックの総数を示し、
2011522460.tif 000371
は、インデックスがｒであるコーディングブロックに含まれるビットの数量を示し、
2011522460.tif 000372
、
2011522460.tif 000373
及び
2011522460.tif 000374
は、初回に転送ブロックを送信する時のＰＤＣＣＨにおけるシグナルから取得される。
【００７８】
物理アップリンク共有チャネルにアップリンク共有チャネルデータの送信だけある場合に、
2011522460.tif 000375
、
2011522460.tif 000376
があって、その中、Ｃは、コーディングブロックの総数を示し、
2011522460.tif 000377
は、インデックスがｒであるコーディングブロックに含まれるビットの数量を示し、
2011522460.tif 000378
、
2011522460.tif 000379
及び
2011522460.tif 000380
は、転送ブロックを送信することに関連する最も近いＰＤＣＣＨにおけるシグナルから取得される。
【００７９】
2011522460.tif 000381
は、チャネル質量指示情報の幅の逸脱値を示し、高層インデックス
2011522460.tif 000382
から通知され、高層インデックス
2011522460.tif 000383
と
2011522460.tif 000384
との対応関係は、表１に示すようなものであるが、本発明がこれに限定されるものではなく、高層インデックス
2011522460.tif 000385
と
2011522460.tif 000386
との対応関係は、その他の方式でもよい。
【００８０】
ｆ(ｉ)は、サブフレームのパワー制御修正関数を示す。
また、上記アップリンク制御情報は、肯定応答ＡＣＫ、及び/又は否定応答ＮＡＣＫ、及び/又は階数指示情報ＲＩ、チャネル質量指示ＣＱＩ、及び/又はプリコーディングマトリックス指示ＰＭＩを含める。
【００８１】
本発明は、さらに物理アップリンク共有チャネルの送信パワー制御システムを提供して、物理アップリンク共有チャネルにアップリンク制御情報の送信だけあって、アップリンク共有チャネルデータの送信がない場合に、チャネル質量指示シグナルとそれに対応する検証に含まれるビットの総数及び幅の逸脱値から物理アップリンク共有チャネルの送信パワーを設置することに用いられるパワー設置モジュールを含める。
【００８２】
その中、上記パワー設置モジュールは、下記の式により上記物理アップリンク共有チャネルの送信パワーを設置することに用いられ、
2011522460.tif 000387
その中、
ＰＭＡＸは、送信パワーの上限を示す。
ＭＰＵＳＣＨ(ｉ)は、サブフレームｉで転送物理アップリンク共有チャネルを転送するための帯域を示す。
ＰＯ_ＰＵＳＣＨ(ｊ)は、目標基准パワーを示す。
2011522460.tif 000388
は、ルート消耗修正因子を示す。
ＰＬは、ルート消耗を示す。
ｆ(ｉ)は、サブフレームのパワー制御修正関数を示す。
2011522460.tif 000389
は、転送フォーマット逸脱パラメーターと呼ばれる。
【００８３】
ＫＳ=１.２５の時に、
2011522460.tif 000390
または
2011522460.tif 000391
があって、ＫＳ = ０の時に、
2011522460.tif 000392
があって、ＫＳは、一つのセルに共有されるパラメーターであって、高層の無線リソース制御により配置され、
2011522460.tif 000393
があって、 ＮＲＥは、リソースユニットの数量を示し、
2011522460.tif 000394
があって、
2011522460.tif 000395
は、物理アップリンク共有チャネルを転送する帯域を示し、
2011522460.tif 000396
は、ＰＵＳＣＨを転送するための単一搬送波周波数分割多重アクセス符号の数量を示し、
2011522460.tif 000397
は、一つのリソースブロックに含まれるリソースユニットの数量を示し、
2011522460.tif 000398
は、情報ビットの大きさを示し、
2011522460.tif 000399
は、上記幅の逸脱値を示す。
【００８４】
その中、物理アップリンク共有チャネルにアップリンク制御情報の送信だけあって、アップリンク共有チャネルデータの送信がない場合に、
2011522460.tif 000400
があって、
2011522460.tif 000401
の時に、
2011522460.tif 000402
があって、または
2011522460.tif 000403
の時に、
2011522460.tif 000404
があって、その中、
2011522460.tif 000405
は、チャネル質量指示シグナルとそれに対応する検証に含まれるビットの総数を示し、
2011522460.tif 000406
は、チャネル質量指示情報の幅の逸脱値を示し、
2011522460.tif 000407
は、初回に転送ブロックを送信する時のＰＤＣＣＨにおけるシグナルから取得される。パワー設置モジュールは、高層シグナルから上記
2011522460.tif 000408
を取得する。
【００８５】
上記パワー設置モジュールは、さらに、物理アップリンク共有チャネルにアップリンク共有チャネルデータの送信だけある場合、あるいは、物理アップリンク共有チャネルにアップリンク制御情報とアップリンク共有チャネルデータの送信がある場合に、
2011522460.tif 000409
と
2011522460.tif 000410
の値を下記の方式によって特定することに用いられ、
2011522460.tif 000411
、
2011522460.tif 000412
の時に、
2011522460.tif 000413
、あるいは、
2011522460.tif 000414
時に、
2011522460.tif 000415
があって、その中、
2011522460.tif 000416
は、転送ブロックの大きさを示し、
2011522460.tif 000417
と
2011522460.tif 000418
は、初回に転送ブロックを送信する時のＰＤＣＣＨにおけるシグナルから取得される。
【００８６】
上記パワー設置モジュールは、さらに物理アップリンク共有チャネルにアップリンク共有チャネルデータの送信だけある場合に、
2011522460.tif 000419
と
2011522460.tif 000420
の値を下記の方式によって特定することに用いられ、
2011522460.tif 000421
があって、
2011522460.tif 000422
の時に、
2011522460.tif 000423
があって、または
2011522460.tif 000424
の時に、
2011522460.tif 000425
があって、その中、
2011522460.tif 000426
は、転送ブロックの大きさを示し、ＴＢＳと
2011522460.tif 000427
は、転送ブロックを送信することに関連する最も近いＰＤＣＣＨにおけるシグナルから取得される。 
【００８７】
上記パワー設置モジュールは、さらに、物理アップリンク共有チャネルにアップリンク共有チャネルデータの送信だけある場合、あるいは、物理アップリンク共有チャネルにアップリンク制御情報とアップリンク共有チャネルデータの送信がある場合に、
2011522460.tif 000428
と
2011522460.tif 000429
の値を下記の方式によって特定することに用いられ、
2011522460.tif 000430
、
2011522460.tif 000431
の時に、
2011522460.tif 000432
があって、あるいは、
2011522460.tif 000433
の時に、
2011522460.tif 000434
があって、Ｃは、コーディングブロックの総数を示し、
2011522460.tif 000435
は、インデックスがｒであるコーディングブロックに含まれるビットの数量を示し、上記
2011522460.tif 000436
、
2011522460.tif 000437
及び
2011522460.tif 000438
は、初回に転送ブロックを送信する時のＰＤＣＣＨにおけるシグナルから取得される。
【００８８】
上記パワー設置モジュールは、さらに、物理アップリンク共有チャネルにアップリンク共有チャネルデータの送信だけある場合に、
2011522460.tif 000439
と
2011522460.tif 000440
の値を下記の方式によって特定することに用いられ、
2011522460.tif 000441
、
2011522460.tif 000442
の時に、
2011522460.tif 000443
があって、または
2011522460.tif 000444
の時に、
2011522460.tif 000445
、があって、Ｃは、コーディングブロックの総数を示し、
2011522460.tif 000446
は、インデックスがｒであるコーディングブロックに含まれるビットの数量を示し、上記
2011522460.tif 000447
、
2011522460.tif 000448
及び
2011522460.tif 000449
は、転送ブロックを送信することに関連する最も近いＰＤＣＣＨにおけるシグナルから取得される。
【００８９】
上述は本発明の実施形態しかなく、本発明に限定されるものではなく、当業者にとっては、様々な変更と変化が得れ、その一部の変化の実施形態は発明内容に述べたが、本発明は発明内容に示した実施形態に限定ではない。特許請求の範囲の中で述べられている、当業者であれば本発明の精神及び範囲内で、補正、および同等物が、当業者には明らかとなろう。
【産業上の利用可能性】
【００９０】
本発明は、物理アップリンク共有チャネルの送信パワー制御方法及びシステムを提供し、物理アップリンク共有チャネルにアップリンク制御情報の送信だけあって、アップリンク共有チャネルデータの送信がない場合に、チャネル指示シグナルと対応する検証ビットに含まれるビットの総数と幅の逸脱値から物理アップリンク共有チャネルの送信パワーを設置して、システム全体の性能を保証する。
【図１】
2011522460.tif 000570
【手続補正書】
【提出日】平成22年11月9日(2010.11.9)
【手続補正１】
【補正対象書類名】明細書
【補正対象項目名】０００３
【補正方法】変更
【補正の内容】
【０００３】
セル内のすべてのユーザー端末（Ｕｓｅｒ Ｅｑｕｉｐｍｅｎｔ、略してＵＥと呼ばれる）は各サブフレームの物理アップリンク共有チャネルの送信パワーにパワー設置を行う必要がある。アップリンク閉ループパワー制御の調整プロセスにおいて、あるサブフレームｉまで詳しく言えば、その物理アップリンク共有チャネルの送信パワー（ｄＢｍ（ミリワットデシベル）を単位にする）の設置公式（あるいは、パワー制御公式と呼ばれる、以下には公式１に呼ばれる）は、
2011522460.tif 000571
であって、
その中、
ＰＭＡＸは、送信パワーの上限を示し、
ＭＰＵＳＣＨ(ｉ)は、サブフレームｉでＰＵＳＣＨを転送するための帯域、つまり、サブフレームｉでＰＵＳＣＨを転送するためのリソースブロックの数量を示し、
ＰＯ_ＰＵＳＣＨ(ｊ)は、目標基准パワーを示し、変数ｊの具体的な定義は、ＬＴＥの関連している標準文書、たとえば、ＬＴＥ物理層３６.２１３標準における５.１.１.１節の定義を参照できて
2011522460.tif 000572
は、ルート消耗修正因子を示し、
ＰＬは、ルート消耗を示し、
2011522460.tif 000573
は、転送フォーマット逸脱パラメーターであって、その中、
ＫＳ=１．２５のときに、
2011522460.tif 000574
があって、ＫＳ = ０の時に、
2011522460.tif 000575
があって、
ＫＳは、高層のＲＲＣ（ＲａｄｉｏＲｅｓｏｕｒｃｅ Ｃｏｎｔｒｏｌ、無線リソース制御）により配置されるパラメーターであって、
2011522460.tif 000576
があって、ＴＢＳは、転送ブロックの大きさを示し、ＮＲＥは、リソースユニットの数量を示し、
2011522460.tif 000577
があって、
2011522460.tif 000578
は、物理アップリンク共有チャネルを転送する帯域を示し、
2011522460.tif 000579
は、ＰＵＳＣＨを転送するためのＳＣ-ＦＤＭＡ（Ｓｉｎｇｌｅ Ｃａｒｒｉｅｒ-Ｆｒｅｑｕｅｎｃｙ Ｄｉｖｉｓｉｏｎ Ｍｕｌｔｉｐｌｅ Ａｃｃｅｓｓ、単一搬送波周波数分割多重アクセス）符号の数量を示し、
2011522460.tif 000580
は、一つのリソースブロックに含まれるサブキャリヤー（リソースユニット）の数量を示し、周波数領域において一つのリソースブロックの大きさを示すことに用いられ、ＴＢＳと
2011522460.tif 000581
は、初回に転送ブロックを送信する時のＰＤＣＣＨにおけるシグナルから取得され、
ｆ(ｉ)は、サブフレームｉのパワー制御修正関数を示す。
【手続補正２】
【補正対象書類名】明細書
【補正対象項目名】０００８
【補正方法】変更
【補正の内容】
【０００８】
さらに、前記方法は、上記物理アップリンク共有チャネルの送信パワーが下記の式によって設置され、
2011522460.tif 000582
その中、
ＰＭＡＸは、送信パワーの上限を示し、
ＭＰＵＳＣＨ(ｉ)は、サブフレームｉで物理アップリンク共有チャネルを転送するための帯域を示し、
ＰＯ_ＰＵＳＣＨ(ｊ)は、目標基准パワーを示し、
2011522460.tif 000583
は、ルート消耗修正因子を示し、
ＰＬは、ルート消耗を示し、
ｆ(ｉ)は、サブフレームｉのパワー制御修正関数を示し、
2011522460.tif 000584
は、転送フォーマット逸脱パラメーターであって、
ＫＳ=１.２５の時に、
2011522460.tif 000585
、あるいは、
2011522460.tif 000586
があって、ＫＳ = ０の時に、
2011522460.tif 000587
があって、ＫＳは、高層の無線リソース制御により配置されるパラメーターであって、
2011522460.tif 000588
があって、ＮＲＥは、リソースユニットの数量を示し、
2011522460.tif 000589
があって、
2011522460.tif 000590
は、物理アップリンク共有チャネルを転送するための帯域を示し、
2011522460.tif 000591
は、ＰＵＳＣＨを転送するための単一搬送波周波数分割多重アクセス符号の数量を示し、
2011522460.tif 000592
は、一つのリソースブロックに含まれるリソースユニットの数量を示し、
2011522460.tif 000593
は、情報ビットの大きさを示し、
2011522460.tif 000594
は、上記幅の逸脱値を示して、
その中、物理アップリンク共有チャネルにアップリンク制御情報の送信だけあって、アップリンク共有チャネルデータの送信がない場合に、
2011522460.tif 000595
があって、
2011522460.tif 000596
の時に、
2011522460.tif 000597
があって、あるいは、
2011522460.tif 000598
の時に、
2011522460.tif 000599
があって、その中、
2011522460.tif 000600
は、チャネル質量指示シグナルとそれに対応する検証に含まれるビットの総数を示し、
2011522460.tif 000601
は、チャネル質量指示情報幅の逸脱値を示し、
2011522460.tif 000602
は、初回に転送ブロックを送信するときのＰＤＣＣＨにおけるシグナルから取得されることを特徴とする。
【手続補正３】
【補正対象書類名】明細書
【補正対象項目名】００１７
【補正方法】変更
【補正の内容】
【００１７】
さらに、前記システムは、上記パワー設置モジュールが下式によりて上記物理アップリンク共有チャネルの送信パワーを設置することに用いられ、
2011522460.tif 000603
その中、
ＰＭＡＸは、送信パワーの上限を示し、
ＭＰＵＳＣＨ(ｉ)は、サブフレームｉで物理アップリンク共有チャネルを転送するための帯域を示し、
ＰＯ_ＰＵＳＣＨ(ｊ)は、目標基准パワーを示し、
2011522460.tif 000604
は、ルート消耗修正因子を示し、
ＰＬは、ルート消耗を示し、
ｆ(ｉ)は、サブフレームｉのパワー制御修正関数を示し、
2011522460.tif 000605
は、転送フォーマット逸脱パラメーターであって、
ＫＳ=１．２５の時に、
2011522460.tif 000606
あるいは
2011522460.tif 000607
があって、ＫＳ = ０の時に、
2011522460.tif 000608
があって、ＫＳは、高層の無線リソース制御により配置されるパラメーターであって、
2011522460.tif 000609
があって、ＮＲＥは、リソースユニットの数量を示し、
2011522460.tif 000610
があって、
2011522460.tif 000611
は、物理アップリンク共有チャネルを転送するための帯域を示し、
2011522460.tif 000612
はＰＵＳＣＨを転送するための単一搬送波周波数分割多重アクセス符号の数量を示し、
2011522460.tif 000613
は、一つのリソースブロックに含まれるリソースユニットの数量を示し、
2011522460.tif 000614
は、情報ビットの大きさを示し、
2011522460.tif 000615
は、上記幅の逸脱値を示して、
その中、物理アップリンク共有チャネルにアップリンク制御情報の送信だけあって、アップリンク共有チャネルデータの送信がない場合に、
2011522460.tif 000616
があって、
2011522460.tif 000617
の時に、
2011522460.tif 000618
があって、あるいは
2011522460.tif 000619
の時に、
2011522460.tif 000620
があって、その中、
2011522460.tif 000621
は、チャネル質量指示シグナルとそれに対応する検証に含まれるビットの総数を示し、
2011522460.tif 000622
は、チャネル質量指示情報の幅の逸脱値を示し、
2011522460.tif 000623
は、初回に転送ブロックを送信する時のＰＤＣＣＨにおけるシグナルから取得されることを特徴とする。
【手続補正４】
【補正対象書類名】明細書
【補正対象項目名】００２９
【補正方法】変更
【補正の内容】
【００２９】
ＫＳ=１.２５の時に、
2011522460.tif 000624
があって、ＫＳ = ０の時に、
2011522460.tif 000625
があって、ＫＳは、高層の無線リソース制御により配置されるパラメーターであって、
2011522460.tif 000626
があって、ＮＲＥは、リソースユニットの数量を示し、
2011522460.tif 000627
があって、
2011522460.tif 000628
は、物理アップリンク共有チャネルを転送する帯域を示し、
2011522460.tif 000629
は、ＰＵＳＣＨを転送するための単一搬送波周波数分割多重アクセス符号の数量を示し、
2011522460.tif 000630
は、一つのリソースブロックに含まれるリソースユニットの数量を示し、
2011522460.tif 000631
は、情報ビットの大きさを示し、
2011522460.tif 000632
は、幅の逸脱値を示す。
【手続補正５】
【補正対象書類名】明細書
【補正対象項目名】００３６
【補正方法】変更
【補正の内容】
【００３６】
ＫＳ=１.２５の時に、
2011522460.tif 000633
があって、ＫＳ = ０の時に、
2011522460.tif 000634
があって、ＫＳは、高層の無線リソース制御により配置されるパラメーターであって、
2011522460.tif 000635
があって、ＮＲＥは、リソースユニットの数量を示し、
2011522460.tif 000636
があって、
2011522460.tif 000637
は、物理アップリンク共有チャネルを転送する帯域を示し、
2011522460.tif 000638
は、ＰＵＳＣＨを転送するための単一搬送波周波数分割多重アクセス符号の数量を示し、
2011522460.tif 000639
は、一つのリソースブロックに含まれるリソースユニットの数量を示し、
2011522460.tif 000640
は、情報ビットの大きさを示し、
2011522460.tif 000641
は、幅の逸脱値を示す。
【手続補正６】
【補正対象書類名】明細書
【補正対象項目名】００４３
【補正方法】変更
【補正の内容】
【００４３】
ＫＳ=１.２５の時に、
2011522460.tif 000642
があって、ＫＳ = ０の時に、
2011522460.tif 000643
があって、ＫＳは、高層の無線リソース制御により配置されるパラメーターであって、
2011522460.tif 000644
があって、ＮＲＥは、リソースユニットの数量を示し、
2011522460.tif 000645
があって、
2011522460.tif 000646
は、物理アップリンク共有チャネルを転送する帯域を示し、
2011522460.tif 000647
は、ＰＵＳＣＨを転送するための単一搬送波周波数分割多重アクセス符号の数量を示し、
2011522460.tif 000648
は、一つのリソースブロックに含まれるリソースユニットの数量を示し、
2011522460.tif 000649
は、情報ビットの大きさを示し、
2011522460.tif 000650
は、幅の逸脱値を示す。
【手続補正７】
【補正対象書類名】明細書
【補正対象項目名】００４９
【補正方法】変更
【補正の内容】
【００４９】
ＫＳ=１.２５の時に、
2011522460.tif 000651
があって、ＫＳ = ０の時に、
2011522460.tif 000652
があって、ＫＳは、高層の無線リソース制御により配置されるパラメーターであって、
2011522460.tif 000653
があって、ＮＲＥは、リソースユニットの数量を示し、
2011522460.tif 000654
があって、
2011522460.tif 000655
は、物理アップリンク共有チャネルを転送する帯域を示し、
2011522460.tif 000656
は、ＰＵＳＣＨを転送するための単一搬送波周波数分割多重アクセス符号の数量を示し、
2011522460.tif 000657
は、一つのリソースブロックに含まれるリソースユニットの数量を示し、
2011522460.tif 000658
は、情報ビットの大きさを示し、
2011522460.tif 000659
は、幅の逸脱値を示す。
【手続補正８】
【補正対象書類名】明細書
【補正対象項目名】００５６
【補正方法】変更
【補正の内容】
【００５６】
ＫＳ=１.２５の時に、
2011522460.tif 000660
があって、ＫＳ = ０の時に、
2011522460.tif 000661
があって、ＫＳは、高層の無線リソース制御により配置されるパラメーターであって、
2011522460.tif 000662
があって、ＮＲＥは、リソースユニットの数量を示し、
2011522460.tif 000663
があって、
2011522460.tif 000664
は、物理アップリンク共有チャネルを転送する帯域を示し、
2011522460.tif 000665
は、ＰＵＳＣＨを転送するための単一搬送波周波数分割多重アクセス符号の数量を示し、
2011522460.tif 000666
は、一つのリソースブロックに含まれるリソースユニットの数量を示し、
2011522460.tif 000667
は、情報ビットの大きさを示し、
2011522460.tif 000668
は、幅の逸脱値を示す。
【手続補正９】
【補正対象書類名】明細書
【補正対象項目名】００６２
【補正方法】変更
【補正の内容】
【００６２】
ＫＳ=１.２５の時に、
2011522460.tif 000669
があって、ＫＳ = ０の時に、
2011522460.tif 000670
があって、ＫＳは、高層の無線リソース制御により配置されるパラメーターであって、
2011522460.tif 000671
、ＮＲＥは、リソースユニットの数量を示し、
2011522460.tif 000672
があって、
2011522460.tif 000673
は、物理アップリンク共有チャネルを転送する帯域を示し、
2011522460.tif 000674
は、ＰＵＳＣＨを転送するための単一搬送波周波数分割多重アクセス符号の数量を示し、
2011522460.tif 000675
は、一つのリソースブロックに含まれるリソースユニットの数量を示し、
2011522460.tif 000676
は、情報ビットの大きさを示し、
2011522460.tif 000677
は、幅の逸脱値を示す。
【手続補正１０】
【補正対象書類名】明細書
【補正対象項目名】００６９
【補正方法】変更
【補正の内容】
【００６９】
ＫＳ=１.２５の時に、
2011522460.tif 000678
があって、ＫＳ = ０の時に、
2011522460.tif 000679
があって、ＫＳは、高層の無線リソース制御により配置されるパラメーターであって、
2011522460.tif 000680
があって、ＮＲＥは、リソースユニットの数量を示し、
2011522460.tif 000681
があって、
2011522460.tif 000682
は、物理アップリンク共有チャネルを転送する帯域を示し、
2011522460.tif 000683
は、ＰＵＳＣＨを転送するための単一搬送波周波数分割多重アクセス符号の数量を示し、
2011522460.tif 000684
は、一つのリソースブロックに含まれるリソースユニットの数量を示し、
2011522460.tif 000685
は、情報ビットの大きさを示し、
2011522460.tif 000686
は、幅の逸脱値を示す。
【手続補正１１】
【補正対象書類名】明細書
【補正対象項目名】００７５
【補正方法】変更
【補正の内容】
【００７５】
ＫＳ=１.２５の時に、
2011522460.tif 000687
があって、ＫＳ = ０の時に、
2011522460.tif 000688
があって、ＫＳは、高層の無線リソース制御により配置されるパラメーターであって、
2011522460.tif 000689
があって、 ＮＲＥは、リソースユニットの数量を示し、
2011522460.tif 000690
があって、
2011522460.tif 000691
は、物理アップリンク共有チャネルを転送する帯域を示し、
2011522460.tif 000692
は、ＰＵＳＣＨを転送するための単一搬送波周波数分割多重アクセス符号の数量を示し、
2011522460.tif 000693
は一つのリソースブロックに含まれるリソースユニットの数量を示し、
2011522460.tif 000694
は、情報ビットの大きさを示し、
2011522460.tif 000695
は、幅の逸脱値を示す。
【手続補正１２】
【補正対象書類名】明細書
【補正対象項目名】００８３
【補正方法】変更
【補正の内容】
【００８３】
ＫＳ=１.２５の時に、
2011522460.tif 000696
または
2011522460.tif 000697
があって、ＫＳ = ０の時に、
2011522460.tif 000698
があって、ＫＳは、高層の無線リソース制御により配置されるパラメーターであって、
2011522460.tif 000699
があって、 ＮＲＥは、リソースユニットの数量を示し、
2011522460.tif 000700
があって、
2011522460.tif 000701
は、物理アップリンク共有チャネルを転送する帯域を示し、
2011522460.tif 000702
は、ＰＵＳＣＨを転送するための単一搬送波周波数分割多重アクセス符号の数量を示し、
2011522460.tif 000703
は、一つのリソースブロックに含まれるリソースユニットの数量を示し、
2011522460.tif 000704
は、情報ビットの大きさを示し、
2011522460.tif 000705
は、上記幅の逸脱値を示す。
【手続補正１３】
【補正対象書類名】特許請求の範囲
【補正対象項目名】請求項２
【補正方法】変更
【補正の内容】
【請求項２】
上記物理アップリンク共有チャネルの送信パワーを下記の式により設置されて、
2011522460.tif 000706
その中、
ＰＭＡＸは、送信パワーの上限を示し、
ＭＰＵＳＣＨ(ｉ)は、サブフレームｉの物理アップリンク共有チャネルを転送するための帯域を示し、
ＰＯ_ＰＵＳＣＨ(ｊ)は、目標基准パワーを示し、
2011522460.tif 000707
は、ルート消耗修正因子を示し、
ＰＬは、ルート消耗を示し、
ｆ(ｉ)は、サブフレームｉのパワー制御修正関数を示し、
2011522460.tif 000708
は、転送フォーマット逸脱パラメーターであって、
ＫＳ=１.２５の時に、
2011522460.tif 000709
、あるいは、
2011522460.tif 000710
があって；ＫＳ = ０の時に、
2011522460.tif 000711
があって、ＫＳは、高層の無線リソース制御により配置されるパラメーターである；
2011522460.tif 000712
があって、ＮＲＥは、リソースユニットの数量を示す；
2011522460.tif 000713
があって、
2011522460.tif 000714
は、物理アップリンク共有チャネルを転送する帯域を示し、
2011522460.tif 000715
は、ＰＵＳＣＨを転送するための単一搬送波周波数分割多重アクセス符号の数量を示す；
2011522460.tif 000716
は、一つのリソースブロックに含まれるリソースユニットの数量を示し、
2011522460.tif 000717
は、情報ビットの大きさを示し、
2011522460.tif 000718
は、上記幅の逸脱値を示す；
その中、物理アップリンク共有チャネルにアップリンク制御情報の送信だけあって、アップリンク共有チャネルデータの送信がない場合に、
2011522460.tif 000719
があって、
2011522460.tif 000720
の時に、
2011522460.tif 000721
があって、あるいは、
2011522460.tif 000722
の時に、
2011522460.tif 000723
があって、その中、
2011522460.tif 000724
は、チャネル質量指示シグナルとそれに対応する検証に含まれるビットの総数を示し、
2011522460.tif 000725
は、チャネル質量指示情報幅の逸脱値を示し、
2011522460.tif 000726
は、初回に転送ブロックを送信するときのＰＤＣＣＨにおけるシグナルから取得されることを特徴とする請求項１に記載の方法。
【手続補正１４】
【補正対象書類名】特許請求の範囲
【補正対象項目名】請求項１１
【補正方法】変更
【補正の内容】
【請求項１１】
上記パワー設置モジュールは、下式により上記物理アップリンク共有チャネルの送信パワーを設置することに用いられ、
2011522460.tif 000727
その中、
ＰＭＡＸは、送信パワーの上限を示し、
ＭＰＵＳＣＨ(ｉ)は、サブフレームｉで物理アップリンク共有チャネルを転送するための帯域を示し、
ＰＯ_ＰＵＳＣＨ(ｊ)は、目標基准パワーを示し、
2011522460.tif 000728
は、ルート消耗修正因子を示し、
ＰＬは、ルート消耗を示し、
ｆ(ｉ)は、サブフレームｉのパワー制御修正関数を示し、
2011522460.tif 000729
は、転送フォーマット逸脱パラメーターであって、
ＫＳ=１．２５の時に、
2011522460.tif 000730
、あるいは、
2011522460.tif 000731
がある；ＫＳ = ０の時に、
2011522460.tif 000732
がある；ＫＳは、高層の無線リソース制御により配置されるパラメーターである；
2011522460.tif 000733
があって、ＮＲＥは、リソースユニットの数量を示す；
2011522460.tif 000734
がある；
2011522460.tif 000735
は、物理アップリンク共有チャネルを転送するための帯域を示し、
2011522460.tif 000736
は、ＰＵＳＣＨを転送するための単一搬送波周波数分割多重アクセス符号の数量を示す；
2011522460.tif 000737
は、一つのリソースブロックに含まれるリソースユニットの数量を示し、
2011522460.tif 000738
は、情報ビットの大きさを示し、
2011522460.tif 000739
は、上記幅の逸脱値を示す；
その中、物理アップリンク共有チャネルにアップリンク制御情報の送信だけあって、アップリンク共有チャネルデータの送信がない場合に、
2011522460.tif 000740
があって、
2011522460.tif 000741
の時に、
2011522460.tif 000742
があって、あるいは
2011522460.tif 000743
の時に、
2011522460.tif 000744
があって、その中、
2011522460.tif 000745
は、チャネル質量指示シグナルとそれに対応する検証に含まれるビットの総数を示し、
2011522460.tif 000746
は、チャネル質量指示情報の幅の逸脱値を示し、
2011522460.tif 000747
は、初回に転送ブロックを送信する時のＰＤＣＣＨにおけるシグナルから取得されることを特徴とする請求項１０に記載のシステム。
【国際調査報告】
2011522460.tif 000748
2011522460.tif 000749
2011522460.tif 000750
2011522460.tif 000751